(57)【要約】【課題】蓋材自体が薄肉化された場合であっても、破断が生じ難い構造を備えた蓋を提供する。【解決手段】本発明の蓋は、容器本体５０の開口縁５１と係合する最外周壁２０と、最外周壁の上端縁から蓋内方へ延在する緩衝壁３０と、緩衝壁の内方端縁から立ち上がる内方壁４０とを含む。蓋に外力が作用したとき、緩衝壁３０が変形して当該外力を吸収し、これにより蓋自体の破断を防止する。【選択図】図３
2012030880.tif 000002
【特許請求の範囲】
【請求項１】
容器本体（５０）の開口縁（５１）に着脱可能に取り付けられる蓋であって、
開口縁（５１）と係合する最外周壁（２０）と、
最外周壁（２０）の上端縁から蓋内方へ延在する緩衝壁（３０）と、
緩衝壁（３０）の内方端縁から立ち上がる内方壁（４０）と、を含み、
当該蓋に外力が作用したとき、緩衝壁（３０）が変形して当該外力を吸収し破断を防止する、蓋。
【請求項２】
上記緩衝壁（３０）は、容器本体（５０）の開口面にほぼ平行に延在している、請求項１記載の蓋。
【発明の詳細な説明】
【技術分野】
【０００１】
本発明は、包装用容器の蓋に関する。さらに詳しくは、コストダウンのために蓋材を薄肉化しても破断が生じ難い構造を備えた蓋に関する。
【背景技術】
【０００２】
近年、カップラーメンやカップ春雨等のインスタント食品において、容器本体の上部開口を閉じる蓋として、プラスチック成形品を用いたものが多く見られるようになった。プラスチック成形品で蓋を構成する場合、コストダウンの観点から、蓋材そのものを薄肉化することが考えられる。
一方、プラスチック成形品の蓋は、弾性変形を利用して着脱可能に容器本体の開口部周縁に係止されるので、薄肉化した場合に破断が生じやすくなる。
【０００３】
従来、プラスチック成形品で蓋を構成する場合に、消費者が蓋の端縁で指先を怪我することが無いように、蓋材周縁を折り返したり、波形形状に構成したものが提案されている（例えば、特許文献１、２）。
これらの蓋材は、その構造上、外力が作用した場合にも割れが生じ難くなっていると考えられるが、破断防止を直接的な目的としていないので、蓋材自体が薄肉化された場合の破断防止策として必ずしも十分ではない。
【先行技術文献】
【特許文献】
【０００４】
【特許文献１】実用新案登録第３０１８６９９号公報
【特許文献２】実開昭５４−１６８２０５号公報
【発明の概要】
【発明が解決しようとする課題】
【０００５】
本発明は、上記従来技術の現状に鑑み、蓋材自体が薄肉化された場合であっても、破断が生じ難い構造を備えた蓋を提供することを目的とする。
【課題を解決するための手段】
【０００６】
本発明は、上記課題を有効に解決するために創案されたものであって、以下の特徴を供えた蓋を提供する。
本発明の蓋は、容器本体の開口縁に着脱可能に取り付けられるもので、「開口縁と係合する最外周壁」と「最外周壁の上端縁から蓋内方へ延在する緩衝壁」と「緩衝壁の内方端縁から立ち上がる内方壁」とを含む。当該蓋に外力が作用したとき、緩衝壁が変形して当該外力を吸収し、これにより蓋自体の破断を防止する。
【発明の効果】
【０００７】
容器本体の開口縁に蓋材を取り付ける場合、開口縁に沿った蓋材の外周縁近傍領域に外力が加えられる。本発明の蓋では、開口縁に係合する最外周壁に連ねて緩衝壁を設けている。外力が作用したとき、この緩衝壁が変形することで当該外力が吸収され、これによって、蓋自体の破断（特に、蓋の外周縁近傍領域における破断）が有効に防止される。
【図面の簡単な説明】
【０００８】
【図１】本発明の一実施形態に係る蓋を示す斜視図。
【図２】図１の蓋が容器本体に取り付けられることを示す斜視図。
【図３】図１の蓋における緩衝壁の作用を説明する模式図。
【発明を実施するための形態】
【０００９】
本発明の実施形態を添付の図面を参照して以下に詳細に説明する。図１（ａ）は一実施形態に係る蓋１０の上面側斜視図を、図１（ｂ）は蓋１０の底面側斜視図を、それぞれ示している。
蓋１０は、プラスチック成形品で構成されていて、最外周壁２０と、緩衝壁３０と、内方壁４０と、を最低限含む。
【００１０】
最外周壁２０は、蓋１０の最も外側に位置していて、容器本体５０の開口縁５１と係合する。
緩衝壁３０は、最外周壁２０に連なり、その上端縁から蓋内方へ向かって延在し、後述するように、弾性変形して外力を吸収する作用を有する。
内方壁４０は、緩衝壁３０に連なり、その内方端縁から上方へ立ち上がっている。
【００１１】
本発明は、緩衝壁３０の存在により外力が吸収され、それによって蓋自体の破損を防止している点に特徴がある。そして、この緩衝壁３０は、最外周壁２０と内方壁４０の間に延在する壁部で構成される。
【００１２】
内方壁４０よりもさらに内方側（蓋１０の中心付近）において、蓋１０の具体的な構成は、内容物あるいは蓋１０のデザイン等の関係で、適宜自由に定めることができる。
また、図示した例では、内方壁４０が複数の凹部４１を周方向に間隔をおいて備えているが、これは補強あるいはデザイン的な要素であって、場合によっては省略することも可能である。
【００１３】
蓋１０は、図２に示したように、容器本体５０に着脱可能に取り付けられる。具体的には、最外周壁２０は、蓋の内側に向かってドーム状に膨出する係止部２１を、周方向に複数備えており、この係止部２１が、容器本体５０の開口縁５１に弾性的に着脱可能に係合する。
図示の例では、開口縁５１は容器本体５０の端縁をカールさせて構成されているが、開口縁５１と最外周壁２０が着脱可能に係合するものであれば、適宜の構成を採用できる。
【００１４】
このように、蓋１０は、その最外周壁２０において容器本体の開口縁５１と弾性係合する。一方、プラスチック成形品で構成される蓋１０は、コストダウンの観点からできるだけ薄肉化することが好ましい。
その場合、蓋１０を着脱する際に作用する外力で蓋１０自身が破断してしまうことがある。本発明では、蓋１０に緩衝壁３０を設けることで外力を吸収し、これにより蓋１０の破断を防止している。
【００１５】
図３に模式的に示したように、蓋１０を容器本体５０に上方から取り付けるとき、まず最外周壁２０の内側が開口縁５１に当接し、さらに蓋１０を押し込むこととなる。蓋１０の着脱を行うとき、外力は主として、開口縁５１に沿った蓋周縁部に作用させられる。
図３は、そのときに緩衝壁３０が外力を吸収していることを示している。すなわち、蓋１０が未だ開口縁５１に接していない図３（ａ）の状態では、緩衝壁３０はほぼ水平な状態にあるが、接触後の図３（ｂ）の状態では、緩衝壁３０が傾斜（弾性変形）している。この変形によって外力が吸収され、特に蓋１０の周縁部位における破断を防止する効果が得られる。
【００１６】
なお、図示した例では、緩衝壁３０は、変形前において、容器本体５０の開口面と平行に水平に延在し、変形後に水平面に対して傾斜している。しかし、このような構成に限らず、緩衝壁３０自体の弾性変形により外力が吸収できるのであれば、他の構成であってもよく、例えば緩衝壁３０が最初からある程度傾斜していてもよい。
ただし、緩衝壁３０が最初から水平である方が効率的に外力を吸収できるので、より好ましいと考えられる。
【００１７】
なお、容器本体５０は、代表的にはカップラーメン、カップ春雨、その他のインスタント食品を収容するものであるが、それに限定されることは言うまでもない。
【符号の説明】
【００１８】
１０  蓋
２０  最外周壁
２１  係止部
３０  緩衝壁
４０  内方壁
４１  凹部
５０  容器本体
５１  開口縁
【図１】
2012030880.tif 000003
【図２】
2012030880.tif 000004
【図３】
2012030880.tif 000005